(57)【特許請求の範囲】
【請求項１】
入金された硬貨を取り込んで金種別に複数の硬貨収納庫に収納し、入出金指示によって前記硬貨収納庫から収納硬貨を払い出す硬貨処理装置であって、
前記複数の硬貨収納庫のうち未使用金種を収納する硬貨収納庫を出金のみを行う硬貨収納庫に設定する操作部と、
前記操作部の設定内容に基づいて、使用金種を収納する硬貨収納庫に対して硬貨の入出金を行わせるとともに、前記出金のみを行う硬貨収納庫に対して出金のみを行わせる制御部と、
を備えたことを特徴とする硬貨処理装置。
【請求項２】
前記操作部は、前記未使用金種を収納する硬貨収納庫を前記出金のみを行う硬貨収納庫として特定し、該特定した硬貨収納庫に対する金種と補充枚数とを入力し、該特定した硬貨収納庫と金種と補充枚数とを登録することを特徴とする請求項１に記載の硬貨処理装置。
【請求項３】
前記操作部は、第１の所定金種の硬貨の入金が無く、かつ、第２の所定金種の硬貨の出金がある場合に、第１の所定金種と第２の所定金種とを組として第１の所定金種の硬貨収納庫を第２の所定金種の出金のみを行う硬貨収納庫として特定することを特徴とする請求項１または２に記載の硬貨処理装置。
【請求項４】
前記制御部は、前記出金のみを行う硬貨収納庫の補充枚数と、前記出金のみを行う硬貨収納庫と同じ金種を格納する硬貨収納庫の硬貨枚数とを合計した合計硬貨枚数をもとに在高管理を行うことを特徴とする請求項１〜３のいずれか一つに記載の硬貨処理装置。
【請求項５】
前記操作部は、前記出金のみを行う硬貨収納庫が設定された場合、予め設定された、前記出金のみを行う硬貨収納庫からの払い出しを優先する補助釣り優先払出モードと、入出金を行う硬貨収納庫からの払い出しを優先する入出金優先払出モードと、前記出金のみを行う硬貨収納庫及び前記入出金を行う硬貨収納庫から同時並行して払い出しを行う同時並行払出モードとのいずれかの払出モードを選択設定することを特徴とする請求項１〜４のいずれか一つに記載の硬貨処理装置。
【請求項６】
前記制御部は、入出金を行う硬貨収納庫の硬貨枚数が満杯に近い所定数以上である場合、前記入出金優先払出モードに強制設定することを特徴とする請求項５に記載の硬貨処理装置。
【請求項７】
前記操作部は、前記制御部を介して接続される上位装置側に、前記複数の硬貨収納庫のうち未使用金種を収納する硬貨収納庫を出金のみを行う硬貨収納庫に設定する機能を設けたことを特徴とする請求項１〜６のいずれか一つに記載の硬貨処理装置。
【発明の詳細な説明】
【技術分野】
【０００１】
本発明は、入金された硬貨を取り込んで金種別に複数の硬貨収納庫に収納し、入出金指示によって前記硬貨収納庫から収納硬貨を払い出す硬貨処理装置に関し、特に、簡易な構成で、既存の硬貨収納庫を柔軟に有効活用することができる硬貨処理装置に関する。
【背景技術】
【０００２】
硬貨処理装置は、硬貨投入口に投入された硬貨を識別した後、内部に自動的に取り込み、金種毎に設けられた硬貨収納庫に収納するとともに、硬貨収納庫に収納されている硬貨を、外部の装置等からの釣銭払出要求に応じて要求金額の硬貨を釣銭として硬貨払出口に払い出す機能を有する（特許文献１参照）。
【先行技術文献】
【特許文献】
【０００３】
【特許文献１】特開２０１１−３９７７３号公報
【特許文献２】特開２００７−２７９９０７号公報
【発明の概要】
【発明が解決しようとする課題】
【０００４】
ところで、一般的な硬貨処理装置は、１円、５円、１０円、５０円、１００円、５００円の６金種に対応する所定容量の硬貨収納庫を予め備えている。そして、硬貨処理装置が設置される店舗等の環境に応じて、投入される硬貨や釣銭として払い出される硬貨の量は金種毎に異なる。この結果、金種別に設けられている硬貨収納庫の容量に過不足が生じる場合がある。例えば、商品の価格が１００円均一の専門店では、１円や５円の硬貨の入金量が少なく、また、入金された場合にも釣銭として出金されることは、ほとんどない。したがって、１円や５円の所定容量の硬貨収納庫は、有効に活用されず、デッドスペース化する。一方、１００円硬貨は、入金数が多くなるため、所定容量の１００円硬貨の硬貨収納庫は満杯状態になる頻度が高くなる。この場合、硬貨処理装置では、１００円硬貨の硬貨収納庫に溜まった１００円硬貨を装置外に排出する作業が増大することになる。
【０００５】
なお、特許文献２に記載された硬貨処理機は、分類通路の底面に硬貨を分類する複数の分類孔を設け、さらに電気的駆動手段で駆動可能な分類ゲートを配置し、この分類ゲートを識別部での金種識別結果に基づいて開閉するとともに、分類ゲートを開くことで硬貨を分類孔に分類する機能を有する。この硬貨処理機を用いると、未使用金種、例えば、１円硬貨が未使用であった場合、１円硬貨の代わりに使用頻度の高い１００円硬貨を２つの硬貨収納庫に割り付けることができる。しかし、特許文献２に記載された硬貨処理機では、分類ゲートなどの、入金鑑別から分類収納まで構成部品が多く、かつ、搬送制御が複雑になる。
【０００６】
本発明は、上記に鑑みてなされたものであって、簡易な構成で、既存の硬貨収納庫を柔軟に有効活用することができる硬貨処理装置を提供することを目的とする。
【課題を解決するための手段】
【０００７】
上述した課題を解決し、目的を達成するために、本発明にかかる硬貨処理装置は、入金された硬貨を取り込んで金種別に複数の硬貨収納庫に収納し、入出金指示によって前記硬貨収納庫から収納硬貨を払い出す硬貨処理装置であって、前記複数の硬貨収納庫のうち未使用金種を収納する硬貨収納庫を出金のみを行う硬貨収納庫に設定する操作部と、前記操作部の設定内容に基づいて、使用金種を収納する硬貨収納庫に対して硬貨の入出金を行わせるとともに、前記出金のみを行う硬貨収納庫に対して出金のみを行わせる制御部と、を備えたことを特徴とする。
【０００８】
また、本発明にかかる硬貨処理装置は、上記の発明において、前記操作部は、前記未使用金種を収納する硬貨収納庫を前記出金のみを行う硬貨収納庫として特定し、該特定した硬貨収納庫に対する金種と補充枚数とを入力し、該特定した硬貨収納庫と金種と補充枚数とを登録することを特徴とする。
【０００９】
また、本発明にかかる硬貨処理装置は、上記の発明において、前記操作部は、第１の所定金種の硬貨の入金が無く、かつ、第２の所定金種の硬貨の出金がある場合に、第１の所定金種と第２の所定金種とを組として第１の所定金種の硬貨収納庫を第２の所定金種の出金のみを行う硬貨収納庫として特定することを特徴とする。
【００１０】
また、本発明にかかる硬貨処理装置は、上記の発明において、前記制御部は、前記出金のみを行う硬貨収納庫の補充枚数と、前記出金のみを行う硬貨収納庫と同じ金種を格納する硬貨収納庫の硬貨枚数とを合計した合計硬貨枚数をもとに在高管理を行うことを特徴とする。
【００１１】
また、本発明にかかる硬貨処理装置は、上記の発明において、前記操作部は、前記出金のみを行う硬貨収納庫が設定された場合、予め設定された、前記出金のみを行う硬貨収納庫からの払い出しを優先する補助釣り優先払出モードと、入出金を行う硬貨収納庫からの払い出しを優先する入出金優先払出モードと、前記出金のみを行う硬貨収納庫及び前記入出金を行う硬貨収納庫から同時並行して払い出しを行う同時並行払出モードとのいずれかの払出モードを選択設定することを特徴とする。
【００１２】
また、本発明にかかる硬貨処理装置は、上記の発明において、前記制御部は、入出金を行う硬貨収納庫の硬貨枚数が満杯に近い所定数以上である場合、前記入出金優先払出モードに強制設定することを特徴とする。
【００１３】
また、本発明にかかる硬貨処理装置は、上記の発明において、前記操作部は、前記制御部を介して接続される上位装置側に設けられたことを特徴とする。
【発明の効果】
【００１４】
本発明によれば、操作部が、複数の硬貨収納庫のうち未使用金種を収納する硬貨収納庫を出金のみを行う硬貨収納庫に設定し、制御部が、前記操作部の設定内容に基づいて、使用金種を収納する硬貨収納庫に対して硬貨の入出金を行わせるとともに、前記出金のみを行う硬貨収納庫に対して出金のみを行わせるようにしている。これによって、分類ゲートなどの、入金鑑別から分類収納まで構成部品を少なくでき、かつ、搬送制御が簡易となる。この結果、本発明では、簡易な構成で、既存の硬貨収納庫を柔軟に有効活用することができる硬貨処理装置を実現することができる。
【図面の簡単な説明】
【００１５】
【図１】図１は、本発明の実施の形態である硬貨処理装置の構成を示す平面図である。
【図２】図２は、図１に示した硬貨処理装置の正面図である。
【図３】図３は、図１に示した硬貨処理装置の内部構成を模式的に示す平面図である。
【図４】図４は、図１に示した硬貨処理装置の制御系の構成を示すブロック図である。
【図５】図５は、釣銭払出専用の収納庫を設定しない場合の収納庫設定情報の一例を示す図である。
【図６】図６は、釣銭払出専用の収納庫を設定した場合の収納庫設定情報の一例を示す図である。
【図７】図７は、釣銭払出専用の収納庫を設定した場合における硬貨処理装置の内部構成を模式的に示す平面図である。
【図８】図８は、台湾の金種に対応した釣銭払出専用の収納庫を設定した場合の収納庫設定情報の一例を示す図である。
【図９】図９は、釣銭払出専用の収納庫を設定しない場合の在高管理用情報の一例を示す図である。
【図１０】図１０は、釣銭払出専用の収納庫を設定した場合の在高管理用情報の一例を示す図である。
【図１１】図１１は、台湾の金種に対応した釣銭払出専用の収納庫を設定した場合の在高管理用情報の一例を示す図である。
【図１２】図１２は、操作表示部の詳細構成を示す外観図である。
【発明を実施するための形態】
【００１６】
以下、添付図面を参照してこの発明を実施するための形態について説明する。
【００１７】
（自動釣銭機の構造）
図１は、本発明の実施の形態である硬貨処理装置１の構成を示す平面図である。また、図２は、図１に示した硬貨処理装置１の正面図である。ここで例示する硬貨処理装置１は、スーパーマーケットやコンビニエンスストア等の店舗においてＰＯＳレジスタ装置に接続される自動釣銭機として用いられるものである。図１及び図２に示すように、硬貨処理装置１は、直方体状を成す装置本体２の前端上面の右側に硬貨投入口３を備え、装置本体２の前端上面の左側に操作表示部４を備える。操作表示部４は表示部５及び操作部６を有する。また、装置本体２の前面左側には、硬貨出金口７が設けられる。硬貨出金口７から排出された硬貨は受け皿２０で受け止められる。また、装置本体２の前面右側には、硬貨返却口８を備える。
【００１８】
（硬貨処理装置の概要動作）
硬貨投入口３は、投入された硬貨を装置本体２の内部に受け入れるための開口である。硬貨投入口３は、顧客からの預り金を一時保持する一時保持部として機能する。硬貨投入口３に投入された硬貨は、図示しないＰＯＳレジスタ装置などの上位装置側からの入金許可指令を受け、図示せぬ投入検出センサによって検出された後、図３に示すように、入金搬送部９によって搬送される。入金搬送部９内に設けられた検銭部１７は、硬貨の真贋及び金種を判定する。搬送された硬貨が正貨である場合、一時保留部１０に保留される。一方、搬送された硬貨が正貨でない場合、切換ゲート３４及び硬貨出金口７を介して受け皿２０に返却される。なお、上位装置側からの返却指示があった場合、一時保留部１０に保留された硬貨は、切換ゲート３５を介して硬貨返却口８に返却される。
【００１９】
その後、一時保留部１０に保留された硬貨は、硬貨振分部１１によって搬送される。硬貨振分部１１によって搬送される硬貨は、金種に応じて硬貨収納庫１２に収納されることになる。本実施の形態では、装置本体２の内部に、硬貨収納庫１２として、１円硬貨収納庫１２ａ、５０円硬貨収納庫１２ｂ、５円硬貨収納庫１２ｃ、１００円硬貨収納庫１２ｄ、１０円硬貨収納庫１２ｅ、５００円硬貨収納庫１２ｆの６つが設けてある。そして、各硬貨収納庫１２は、投入された硬貨を金種ごとに個別に収納するようにしている。
【００２０】
ここで、後述するように、未使用金種を収納する硬貨収納庫１２がある場合、この硬貨収納庫１２を出金頻度の高い使用金種の出金のみを行う硬貨収納庫１２として用いるようにしている。すなわち、空きの硬貨収納庫１２を補助の釣銭出金用の硬貨収納庫１２として用いるようにしている。なお、各硬貨収納庫１２に収納された硬貨は、切換ゲート３６を介して一部保留部１０に搬送することができる。一部保留部１０は、各硬貨収納庫１２に格納された硬貨を一旦空にして各硬貨収納庫１２の収納数を再計数するための精査庫としても機能する。
【００２１】
その後、上位装置側からの出金指令に応じた金種の硬貨が各硬貨収納庫１２から出金搬送部１５を介して搬出され、硬貨出金口７から装置本体２の外部に払い出される。
【００２２】
（硬貨処理装置の制御系）
図４は、硬貨処理装置１の制御系を示すブロック図である。図４に示すように、制御部３０には、表示部５、操作部６、記憶部５０、硬貨搬送機構４０、検銭部１７が接続される。また、制御部３０には、ＰＯＳレジスタ装置などの外部の上位装置が接続される。硬貨搬送機構４０には、入金搬送部９、硬貨振分部１１、出金搬送部１５、及び切換ゲート３４，３５，３６を含む。
【００２３】
制御部３０は、操作部６を通じて指令が与えられた場合、あるいは検銭部１７から検出信号が与えられた場合、さらには上位装置から各種指令が与えられた場合、記憶部５０に格納したプログラムや初期データに基づいて表示部５の表示制御、硬貨搬送機構４０の駆動制御を行うものである。制御部３０は、入出金制御部３１及び払出モード制御部３２を有する。
【００２４】
入出金制御部３１は、上位装置から入力許可指令が与えられた後に硬貨が投入された場合に、入金許可指令に従って硬貨の入金処理を行い、かつ上位装置から出金指令が与えられた場合に、出金指令に従って硬貨の出金処理を行うものである。また、入出金制御部３１は、これらの入金処理及び出金処理を実行している間、実施した入金処理及び出金処理の内容を入出金情報５１として逐次、記憶部５０に格納する処理も行う。また、入出金制御部３１は、在高管理などを行う。なお、払出モード制御部３２については後述する。
【００２５】
（収納庫設定情報）
記憶部５０には、収納庫設定情報５２が格納されている。収納庫設定情報５２は、操作部６によって設定されるとともに、更新することができる。収納庫設定情報５２には、複数の硬貨収納庫１２のうち未使用金種を収納する硬貨収納庫１２を出金のみを行う硬貨収納庫１２に設定する情報が格納されている。制御部３０は、収納庫設定情報５２の設定内容に基づいて、使用金種を収納する硬貨収納庫１２に対して硬貨の入出金を行わせるとともに、出金のみを行う硬貨収納庫１２に対して出金のみを行わせる。なお、制御部３０は、未使用金種が投入された場合、切換ゲート３４を介して硬貨出金口７から、この未使用金種を返却することが好ましい。
【００２６】
図５は、未使用金種がない場合における収納庫設定情報５２の内容を示している。図５に示すように、１円収納庫１２ａ，５０円収納庫１２ｂ，５円収納庫１２ｃ，１００円収納庫１２ｄ，１０円収納庫１２ｅ，５００円収納庫１２ｆには、それぞれ、１円，５０円，５円，１００円，１０円，５００円のすべての６金種の入出金が可能となるように設定されている。
【００２７】
これに対し、図６に示した収納庫設定情報５２は、１円と５円の金種が使用されない環境であることを前提として設定されたものであり、１円収納庫１２ａ及び５円収納庫１２ｃへの入金が無いように設定され、１円収納庫１２ａには、１０円の金種が格納され、５円収納庫１２ｃには、１００円の金種が格納されるようにしている。すなわち、未使用金種を格納する１円収納庫１２ａ及び５円収納庫１２ｃが空きの収納庫となるため、１円収納庫１２ａ及び５円収納庫１２ｃを、使用頻度の高い金種である１０円と１００円の金種をそれぞれ格納して補助釣銭のための収納庫として用いている。このため、図６に示した１円収納庫１２ａ及び５円収納庫１２ｃには、入金有無の属性は「無し」に設定され、出金有無の属性は、それぞれ１０円及び１００円に設定されている。
【００２８】
この結果、図７に示すように、１円収納庫１２ａには、釣銭払出専用の１０円の金種が格納されており、５円収納庫１２ｃには、釣銭払出専用の１００円の金種が格納されている。そして、１円収納庫１２ａ及び５円収納庫１２ｃには、硬貨振分部１１から硬貨が入金されることがない。これにより、デッドスペース化する１円収納庫１２ａ及び５円収納庫１２ｃを有効利用し、使用頻度の高い１０円と１００円の釣銭補充回数を少なくすることができる。
【００２９】
なお、上述した硬貨処理装置１は、日本の金種に対応したものであるが、日本以外の外国の硬貨に対しても対応することができる。例えば、台湾の流通硬貨は、０．５圓、１圓、５圓、１０圓、２０圓、５０圓の６金種であるが、実運用上の流通通貨は、１圓、５圓、１０圓、５０圓の４金種である。したがって、未使用金種である０．５圓と２０圓の収納庫を使用頻度の高い１圓と１０圓の金種を格納する釣銭払出専用の収納庫に設定し、この収納庫に予め１圓と１０圓の金種を補充すればよい。図８では、１円収納庫１２ａ，５０円収納庫１２ｂ，５円収納庫１２ｃ，１００円収納庫１２ｄをそれぞれ１圓，５圓，１０圓，５０圓の入出金可能な収納庫とし、１０円収納庫１２ｅ，５００円収納庫１２ｆを、それぞれ１圓，１０圓の釣銭払出専用の収納庫に設定している。
【００３０】
（在高管理）
なお、入出金制御部３１は、在高管理を行う場合、釣銭払出専用の収納庫の金種と補充枚数とを加味して金種毎の在高を管理する。図９は、図５に対応し、釣銭払出専用の収納庫を設けない場合の入出金情報５１内の在高管理用情報の一例を示している。図９では、各金種の硬貨枚数が、入出金が可能な収納庫を示す「入出金」の属性として記憶されている。一方、図１０は、図６に対応し、釣銭払出専用の収納庫を設けた場合の入出金情報５１内の在高管理用情報の一例を示している。図１０に示すように、各金種の「入出金」の属性の硬貨枚数に、釣銭払出し専用の収納庫を示す「補助釣り」の属性の金種の硬貨枚数が加算されて管理される。なお、これらの枚数は、出金が生じる毎に値を減じる。また、入金あるいは補充される毎に値を増やす。なお、図１１は、図８の台湾使用金種に対応し、釣銭払出専用の収納庫を設けた場合の入出金情報５１内の在高管理用情報の一例を示している。この場合も、「補助釣り」の硬貨枚数が加算されて在高管理される。
【００３１】
（払出モード設定）
記憶部５０には、払出モード設定情報５３が格納されている。払出モード設定情報５３には、補助釣り優先払出モード５３ａと入出金優先払出モード５３ｂと同時並行払出モード５３ｃとが格納される。補助釣り優先払出モード５３ａは、釣銭の払出を行う場合に、釣銭払出専用の収納庫に格納された硬貨を優先して払い出すモードである。入出金優先払出モード５３ｂは、釣銭の払出を行う場合に、入出金が可能な収納庫に格納された硬貨を優先して払い出すモードである。同時並行払出モード５３ｃは、釣銭の払出を行う場合に、入出金が可能な収納庫に格納された硬貨と釣銭払出専用の収納庫に格納された硬貨とを同時並行して払い出すモードである。これらの払出モードの設定は、操作部６の選択設定によって行われる。
【００３２】
補助釣り優先払出モード５３ａは、例えば、入金頻度が高い金種の場合に選択設定される。この場合、この金種に対する入出金が可能な収納庫を、空もしくは少ない硬貨枚数の状態とすることによって、この入出金が可能な収納庫が満杯となることを回避することができ、硬貨の回収や補充の回数を削減することができる。
【００３３】
また、同時並行払出モード５３ｃは、同じ金種を、入出金が可能な収納庫と釣銭払出専用の収納庫との双方から出金搬送部１５を介して同時に払出が可能であり、出金時間を短縮することができる。例えば、４０円の払出がある場合、１０円を４枚払い出す必要があるが、この場合、２枚ずつ２回の払出動作で済む。
【００３４】
（操作表示部の詳細）
図１２は、操作表示部４の詳細構成を示す外観図である。なお、この操作表示部４は、硬貨処理装置１の他に、図示しない並列配置された紙幣処理装置に対する操作表示をも行うようにしている。表示部５の領域Ｅ１には、金種ごとの貨幣の収納状況を表示するＬＥＤ表示器が配置される。また、領域Ｅ２は、回収庫及び収納庫の収納状態を示すようにしている。「回収庫」は、装置本体内に別途回収庫が設けられる場合、この回収庫内に貨幣が収納されている場合に緑色点灯し、回収庫内が満杯に近い（ニアフル）場合、赤色点灯する。「ニアフル」は、硬貨収納庫１２などの貨幣収納庫が満杯に近い、あるいは満杯のときに赤色点灯する。また、「ニアエンプティ」は、貨幣収納庫が、空に近い、あるいは空である場合に赤色点灯する。「精査」は、在高が合わない可能性がある場合に、赤色点灯する。いずれも注意喚起するための表示である。領域Ｅ３には、各種のガイダンスを表示するＬＣＤ表示器が配置される。なお、表示部Ｌ１は、表示もしくは音声出力をすべき情報があることを点滅して知らせるヘルプランプである。さらに、表示部Ｌ２は、領域Ｅ３に、入金、出金状態を表示する場合の「お知らせランプ」であり、入出金状態が正常な場合、緑色点灯し、異常な場合、赤色点灯する。
【００３５】
なお、ニアフルは、満杯に近い第１の所定数以上となった場合の状態であり、ニアエンプティは、空に近い第２の所定数以下となった場合の状態である。
【００３６】
ボタン６ａは、紙幣処理装置を選択するものであり、ボタン６ｂは、硬貨処理装置を選択するものである。ボタン６ｃは、領域Ｅ１，Ｅ３の表示状態を上に移動させるものであり、ボタン６ｄは、領域Ｅ１，Ｅ３の表示状態を下に移動させるためのものである。ボタン６ｅは、表示部Ｌ１が点滅しているときに押下することによって、その際のヘルプ情報を表示させるものである。ボタン６ｆは、在高を表示させるものである。ボタン６ｇ，６ｈは、それぞれ貨幣の余剰金の回収あるいは不足金の補充を行う際に押下するものである。ボタン６ｉは、これまでの入出金情報などの履歴を表示させるためのものである。ボタン６ｊは、上述した収納庫設定情報５２の設定や払出モード設定情報の選択を含む各種設定を行うためのものである。ボタン６ｋは、現在処理中の内容を初期状態に服するためのものである。ボタン６ｍは、選択中の処理の実行を許可するか否かを入力するためのものである。なお、領域Ｅ１の上部には、各貨幣を示す絵文字が記されている。領域Ｅ１の表示は、この絵文字に対応させて表示することができる。
【００３７】
なお、上述したボタン６ａ〜６ｊは、テンキーとしても機能する。テンキーとして動作するのは、領域Ｅ１に表示された内容の設定が数値の場合に、自動的に数値入力に切り替えられる。
【符号の説明】
【００３８】
１  硬貨処理装置
２  装置本体
３  硬貨投入口
４  操作表示部
５  表示部
６  操作部
６ａ〜６ｋ，６ｍ  ボタン
７  硬貨出金口
８  硬貨返却口
９  入金搬送部
１０  一部保留部
１１  硬貨振分部
１２  硬貨収納庫
１２ａ  １円硬貨収納庫
１２ｂ  ５０円硬貨収納庫
１２ｃ  ５円硬貨収納庫
１２ｄ  １００円硬貨収納庫
１２ｅ  １０円硬貨収納庫
１２ｆ  ５００円硬貨収納庫
１５  出金搬送部
１７  検銭部
２０  受け皿
３０  制御部
３１  入出金制御部
３２  払出モード制御部
３４，３５，３６  切換ゲート
４０  硬貨搬送機構
５０  記憶部
５１  入出金情報
５２  収納庫設定情報
５３  払出モード設定情報
５３ａ  補助釣り優先払出モード
５３ｂ  入出金優先払出モード
５３ｃ  同時並行払出モード
Ｅ１〜Ｅ３  領域
Ｌ１，Ｌ２  表示部
【図１】
0006467844.tif 000002
【図２】
0006467844.tif 000003
【図３】
0006467844.tif 000004
【図４】
0006467844.tif 000005
【図５】
0006467844.tif 000006
【図６】
0006467844.tif 000007
【図７】
0006467844.tif 000008
【図８】
0006467844.tif 000009
【図９】
0006467844.tif 000010
【図１０】
0006467844.tif 000011
【図１１】
0006467844.tif 000012
【図１２】
0006467844.tif 000013